(57)【要約】【課題】システムのコストアップを極力抑えた上で多種の通信プロトコルの通信回線を接続可能とし、かつ多種の通信プロトコルで共通のサービスを提供し得る電話交換装置を提供する。【解決手段】主装置ＢＴ１にＳＩＰ通信部１２、ＩＳＤＮ通信部１３、ＩＰ−ＱＳＩＧ通信部１４を備えると共に、ＳＩＰ網３ａ，３ｂ、ＩＳＤＮ網２、ＩＰ−ＱＳＩＧ網１の中で最小の伝送容量となるＩＳＤＮ網２に対応するＱ．９３１コントローラ１５のみを備えてこのＱ．９３１コントローラ１５を各ＳＩＰ通信部１２、ＩＳＤＮ通信部１３、ＩＰ−ＱＳＩＧ通信部１４で共用するようにし、ＩＳＤＮ呼制御で必要なＱ．９３１コントローラ１５に対して、ＩＰプロトコル固有の識別情報を通知することで、Ｑ．９３１コントローラ１５単体でプロトコル差分を吸収するようにしている。【選択図】      図２
2008252234.tif 000002
【特許請求の範囲】
【請求項１】
互いに通信プロトコルが異なる通信回線を接続する複数の処理部と、
これら複数の処理部に対応して通信信号を処理するための複数のプロトコル固有情報を記憶する記憶部と、
前記複数の処理部に対し前記複数の通信回線に比して伝送容量の少ない制御バスを介して接続され前記複数の通信回線のうち最小の伝送容量の通信回線に接続される電話端末との間の通信制御機能を有すると共に、通知されたプロトコル識別情報に基づいて前記記憶部から該当するプロトコル固有情報を読み出して該当する処理部に対しプロトコル固有情報による信号処理を実行させる通信制御部と、
呼の設定要求が発生した時に、前記通信制御部に対し捕捉する通信回線に対応するプロトコル識別情報を通知する呼制御部とを具備したことを特徴とする電話交換装置。
【請求項２】
前記複数の通信回線としてＳＩＰ（Session Initiation Protocol）網、ＩＳＤＮ網、ＩＰ−ＱＳＩＧ網が使用されるとき、
前記通信制御部は、前記ＩＳＤＮ網によるＱ．９３１コントローラであることを特徴とする請求項１記載の電話交換装置。
【請求項３】
複数の電話端末または互いに通信プロトコルが異なる複数の通信回線を接続可能な複数の電話交換装置相互間を専用線で接続する電話システムにおいて、
前記複数の電話交換装置の各々は、
前記通信回線を接続する複数の処理部と、
これら複数の処理部に対応して通信信号を処理するための複数のプロトコル固有情報を記憶する記憶部と、
前記複数の処理部に対し前記複数の通信回線に比して伝送容量の少ない制御バスを介して接続され前記複数の通信回線のうち最小の伝送容量の通信回線に接続される電話端末との間の通信制御機能を有すると共に、通知されたプロトコル識別情報に基づいて前記記憶部から該当するプロトコル固有情報を読み出して該当する処理部に対しプロトコル固有情報による信号処理を実行させる通信制御部と、
呼の設定要求が発生した時に、前記通信制御部に対し捕捉する通信回線に対応するプロトコル識別情報を通知する呼制御部とを備えたことを特徴とする電話システム。
【請求項４】
前記複数の通信回線としてＳＩＰ（Session Initiation Protocol）網、ＩＳＤＮ網、前記専用線としてＩＰ−ＱＳＩＧ網が使用されるとき、
前記通信制御部は、前記ＩＳＤＮ網によるＱ．９３１コントローラであることを特徴とする請求項３記載の電話システム。
【請求項５】
前記通信回線としてＳＩＰ（Session Initiation Protocol）網が使用され、前記専用線としてＩＰ−ＱＳＩＧ網が使用されるとき、
前記複数の電話交換装置間で前記ＳＩＰ網を使用したＩＰ（Internet Protocol）トランク通話に関する音声品質情報を定期的に通信する通信手段をさらに備えたことを特徴とする請求項３記載の電話システム。
【請求項６】
トランク発信時に、前記通信手段による前記音声品質情報の通信結果に基づいて、トランク発信側となる電話交換装置に接続される第１の電話端末と着信先となる第２の電話端末との間で形成され、互いに経由する通信回線または専用線または電話交換装置が異なる複数の通信ルートの中から１つの通信ルートを選択するルート選択手段をさらに備えたことを特徴とする請求項５記載の電話システム。
【請求項７】
前記通信手段により通信された前記音声品質情報を外部に報知する報知手段をさらに備えたことを特徴とする請求項５記載の電話システム。
【発明の詳細な説明】
【技術分野】
【０００１】
この発明は、例えばＩＰ−ＱＳＩＧ網、ＳＩＰ（Session Initiation Protocol）網、ＩＳＤＮ網といった通信プロトコルが異なる通信網を取り扱えるようにした電話交換装置、及び複数の電話交換装置間を例えばＩＰ−ＱＳＩＧ網を介して接続した電話システムに関する。
【背景技術】
【０００２】
近年、ＩＰ（Internet Protocol）網を介して、双方向に画像や音声をパケットデータとして、リアルタイムに送受信するＩＰ電話システムが普及し始めている。このＩＰ電話システムでは、ＩＰ網に接続される各主装置ごとに内線間通信や外線発着信を行えることは勿論のこと、ＩＰ網を経由した主装置間での内線通信や外線発着信を行うことができる。
【０００３】
ところで、ＩＰ電話システムでは、主装置内で多種の通信プロトコルのパケットデータを取り扱うようになってきた。この場合、主装置は、種々の通信プロトコルに対応する専用のインタフェース部及びインタフェース部を制御するための専用の通信制御部を備える（例えば、特許文献１）。
【特許文献１】特開２００４−３３６１４４号公報。
【発明の開示】
【発明が解決しようとする課題】
【０００４】
しかしながら、上記主装置では、通信プロトコルごとに専用のインタフェース部及び専用の通信制御部が必要となるため、新たな通信プロトコルの通信回線の追加があるとその分専用のインタフェース部及び専用の通信制御部を追加設定しなければならず、装置構成が極めて大型で高価なものになってしまう。
【０００５】
そこで、この発明の目的は、システムのコストアップを極力抑えた上で多種の通信プロトコルの通信回線を接続可能とし、かつ多種の通信プロトコルで共通のサービスを提供し得る電話交換装置及び電話システムを提供することにある。
【課題を解決するための手段】
【０００６】
上記目的を達成するために、この発明に係わる電話交換装置は、互いに通信プロトコルが異なる通信回線を接続する複数の処理部と、これら複数の処理部に対応して通信信号を処理するための複数のプロトコル固有情報を記憶する記憶部と、複数の処理部に対し複数の通信回線に比して伝送容量の少ない制御バスを介して接続され複数の通信回線のうち最小の伝送容量の通信回線に接続される電話端末との間の通信制御機能を有すると共に、通知されたプロトコル識別情報に基づいて記憶部から該当するプロトコル固有情報を読み出して該当する処理部に対しプロトコル固有情報による信号処理を実行させる通信制御部と、呼の設定要求が発生した時に、通信制御部に対し捕捉する通信回線に対応するプロトコル識別情報を通知する呼制御部とを備えるようにしたものである。
【０００７】
なお、複数の通信回線としてＳＩＰ（Session Initiation Protocol）網、ＩＳＤＮ網、ＩＰ−ＱＳＩＧ網が使用されるとき、通信制御部は、ＩＳＤＮ網によるＱ．９３１コントローラであることを特徴とする。
【０００８】
この構成によれば、電話交換装置にＳＩＰ網専用の処理部、ＩＳＤＮ網専用の処理部、ＩＰ−ＱＳＩＧ網専用の処理部を備えると共に、これらＳＩＰ網、ＩＳＤＮ網、ＩＰ−ＱＳＩＧ網の中で最小の伝送容量となるＩＳＤＮ網に対応するＱ．９３１コントローラのみを備えてこのＱ．９３１コントローラを各処理部で共用するようにし、複数の処理部それぞれの通信制御部を複数のプロトコル固有情報を記憶する記憶部により実現するようにしている。
【０００９】
従って、電話交換装置に複数の処理部それぞれに対応する専用の通信制御部を設置する必要がなく、各通信制御部がＱ．９３１コントローラと共用されるので、比較的小型でかつ安価なシステムを提供することができる。また、ＩＳＤＮで提供していた既存サービスを異なるプロトコルに対しても容易に提供することができる。
【００１０】
複数の通信回線としてＳＩＰ（Session Initiation Protocol）網が使用され、専用線としてＩＰ−ＱＳＩＧ網が使用されるとき、複数の電話交換装置間でＳＩＰ網を使用したＩＰ（Internet Protocol）トランク通話に関する音声品質情報を定期的に通信する通信手段をさらに備えたことを特徴とする。
【００１１】
この構成によれば、ＩＰトランク通話の音声品質情報をＩＰ−ＱＳＩＧ網を介して定期的に通信することにより、同一ネットワーキングシステム内の全電話交換装置のＩＰトランク通話に関する音声品質情報を、各電話交換装置で一括管理することができる。
【００１２】
トランク発信時に、通信手段による音声品質情報の通信結果に基づいて、トランク発信側となる電話交換装置に接続される第１の電話端末と着信先となる第２の電話端末との間で形成され、互いに経由する通信回線または専用線または電話交換装置が異なる複数の通信ルートの中から１つの通信ルートを選択するルート選択手段をさらに備えたことを特徴とする。
【００１３】
この構成によれば、トランク発信時に予め設定した優先度だけではなく、他の電話交換装置と通信を行なった音声品質情報も参照して通信ルートを選択するようにしている。従って、常に短距離の通信ルートが選択されることが多かった従来の方式に比べ、通信コスト及び音声品質に応じて最適な通信ルートを選択することができる。
【発明の効果】
【００１４】
以上詳述したようにこの発明によれば、システムのコストアップを極力抑えた上で多種の通信プロトコルの通信回線を接続可能とし、かつ多種の通信プロトコルで共通のサービスを提供し得る電話交換装置及び電話システムを提供することができる。
【発明を実施するための最良の形態】
【００１５】
以下、この発明の実施形態について図面を参照して詳細に説明する。  
（第１の実施形態）  
図１は、この発明に係わる電話システムの第１の実施形態を示す概略構成図である。  
このシステムは、専用線としてのＩＰ−ＱＳＩＧ網１を有する。ＩＰ−ＱＳＩＧ網１には、複数の主装置ＢＴ１〜ＢＴｎ（ｎは自然数）が接続されている。また、主装置ＢＴ１〜ＢＴｎには、ボタン電話機Ｔ１１〜Ｔ１ｉ（ｉは自然数），Ｔ２１〜Ｔ２ｍ（ｍは自然数），Ｔ３１〜Ｔ３ｐ（ｐは自然数），Ｔｎ１〜Ｔｎｋ（ｋは自然数）が接続されている。また、主装置ＢＴ１〜ＢＴｎはＩＳＤＮ網２に接続されている。さらに、主装置ＢＴ１，ＢＴｎはＳＩＰ網３ａ，３ｂに接続されている。
【００１６】
主装置ＢＴ１〜ＢＴｎは、ボタン電話機Ｔ１１〜Ｔ１ｉ，Ｔ２１〜Ｔ２ｍ，Ｔ３１〜Ｔ３ｐ，Ｔｎ１〜Ｔｎｋ相互間、ＩＳＤＮ網２とボタン電話機Ｔ１１〜Ｔ１ｉ，Ｔ２１〜Ｔ２ｍ，Ｔ３１〜Ｔ３ｐ，Ｔｎ１〜Ｔｎｋとの間、ＳＩＰ網３ａ，３ｂとボタン電話機Ｔ１１〜Ｔ１ｉ，Ｔ２１〜Ｔ２ｍ，Ｔ３１〜Ｔ３ｐ，Ｔｎ１〜Ｔｎｋとの間の発着信に係わる通常の交換制御機能を有する。
【００１７】
図２は、主装置ＢＴ１〜ＢＴｎの機能ブロック図である。ここでは、主装置ＢＴ１を代表して説明する。
【００１８】
主装置ＢＴ１は、ボタン電話制御部１１と、ＳＩＰ通信部１２と、ＩＳＤＮ通信部１３と、ＩＰ−ＱＳＩＧ通信部１４と、Ｑ．９３１コントローラ１５と、呼制御部１６と、データベース１７とを備え、これらボタン電話制御部１１、ＳＩＰ通信部１２、ＩＳＤＮ通信部１３、ＩＰ−ＱＳＩＧ通信部１４、Ｑ．９３１コントローラ１５、呼制御部１６、データベース１７はＩＰ−ＱＳＩＧ網１、ＩＳＤＮ網２及びＳＩＰ網３ａに比して伝送容量の少ない制御バス１８を介して相互に接続されている。なお、データベース１７には、Ｑ．９３１コントローラ１５が使用する複数のプロトコル固有情報が記憶されている。
【００１９】
ボタン電話制御部１１には複数のボタン電話機Ｔ１１〜Ｔ１ｉが収容されている。そして、ボタン電話制御部１１は、ボタン電話機Ｔ１１〜Ｔ１ｉに対する発着信処理やデジタル信号の転送処理等を行なう。
【００２０】
ＳＩＰ通信部１２は、Ｑ．９３１コントローラ１５による制御の下、ＳＩＰ網３ａとの間でインタフェース処理を行うものである。
【００２１】
ＩＳＤＮ通信部１３は、Ｑ．９３１コントローラ１５による制御の下、ＩＳＤＮ網２との間でインタフェース処理を行うものである。
【００２２】
ＩＰ−ＱＳＩＧ通信部１４は、Ｑ．９３１コントローラ１５による制御の下、ＩＰ−ＱＳＩＧ網１との間でインタフェース処理を行うものである。
【００２３】
Ｑ．９３１コントローラ１５は、呼制御部１６から通知されたプロトコル識別情報に基づいてデータベース１７から該当するプロトコル固有情報を読み出して該当するＳＩＰ通信部１２、ＩＳＤＮ通信部１３、ＩＰ−ＱＳＩＧ通信部１４に対しプロトコル固有情報によるインタフェース処理を実行させる。
【００２４】
呼制御部１６は、各ボタン電話機Ｔ１１〜Ｔ１ｉの発呼要求に伴う発信処理や、通常の着信処理やボタン電話機Ｔ１１〜Ｔ１ｉ間の転送処理等の通常の制御機能に加えて、Ｑ．９３１コントローラ１５に対し捕捉する通信回線に対応するプロトコル識別情報を通知する機能を備えている。
【００２５】
次に、以上のように構成されたシステムの動作について説明する。  
図３は、ボタン電話機Ｔ１１による発信操作に応じたＩＰ−ＱＳＩＧ網１、ＩＳＤＮ網２及びＳＩＰ網３ａとの間の通信動作を示すシーケンス図である。
【００２６】
（ＩＳＤＮ網への発信）
主装置ＢＴ１に収容されたボタン電話機Ｔ１１にてＩＳＤＮ網２への発信操作が行われたとする。そうすると、主装置ＢＴ１は、呼制御部１６においてボタン電話機Ｔ１１から入力されたダイヤル情報から、発信時に捕捉するトランク種別を確定してＱ．９３１コントローラ１５に通知する。
【００２７】
Ｑ．９３１コントローラ１５は、呼制御部１６から通知されたトランク種別を元に、着信先がＩＳＤＮ網２であることを判定し、図４において、通信確立要求としてのＳＥＴＵＰメッセージを生成し、ＩＳＤＮ通信部１３にＳＥＴＵＰメッセージを送信する。
【００２８】
ＳＥＴＵＰメッセージを受信したＩＳＤＮ通信部１３は、ＩＳＤＮ網２に対してＳＥＴＵＰメッセージを送信する。
【００２９】
ＩＳＤＮ網２側からのメッセージ（ＣＡＬＬ  ＰＲＯＣ，ＡＬＥＲＴ）受信時に、ＩＳＤＮ通信部１３からＱ．９３１コントローラ１５に対してメッセージ受信のイベントが通知される。
【００３０】
一方、通信相手先で着信報知に対し応答がなされると、ＩＳＤＮ網２から主装置ＢＴ１に応答メッセージ（ＣＯＮＮ）が送られる。かくして、発信元のボタン電話機Ｔ１１と着信先の端末との間には通信リンクが形成され、以後通話が可能となる。
【００３１】
また、ボタン電話機Ｔ１１にて終話操作がなされた場合に、主装置ＢＴ１からＩＳＤＮ網２へ切断要求メッセージ（ＤＩＳＣ）が送出され、着信先にて切断要求メッセージが受信されると応答メッセージ（ＲＥＬ）が返送されて、以後着信先との間の通信リンクが切断される。
【００３２】
（ＩＰ−ＱＳＩＧ網への発信）
主装置ＢＴ１に収容されたボタン電話機Ｔ１１にて主装置ＢＴ２に収容されるボタン電話機Ｔ２１への発信操作が行われたとする。そうすると、主装置ＢＴ１は、呼制御部１６においてボタン電話機Ｔ１１から入力されたダイヤル情報から、発信時に捕捉するトランク種別を確定してＱ．９３１コントローラ１５に通知する。
【００３３】
Ｑ．９３１コントローラ１５は、呼制御部１６から通知されたトランク種別を元に、着信先がボタン電話機Ｔ２１であることを判定し、データベース１７からプロトコル固有の拡張情報を取得する。例えばトランク種別がＩＰ−ＱＳＩＧ網１の場合は、相手先ＩＰアドレスやポート番号が該当する。
【００３４】
Ｑ．９３１コントローラ１５は、発信時には常に送信するＳＥＴＵＰメッセージを生成し、データベース１７から取得したプロトコル固有の拡張情報と共に、図５に示す如く、ＩＰ−ＱＳＩＧ通信部１４にメッセージを送信する。例えば、ＩＰ−ＱＳＩＧ網１の場合はＳＥＴＵＰメッセージ＋相手先ＩＰアドレス、相手先ポート番号などがそれぞれ送信される。
【００３５】
ＳＥＴＵＰメッセージ及びプロトコル固有の拡張情報を受信した主装置ＢＴ２は、接続された回線に対して上記メッセージに必要な拡張情報を付与した形で回線にメッセージを送信する。例えばＩＰ−ＱＳＩＧの場合はＩＰ−ＱＳＩＧ通信部１４がＳＥＴＵＰメッセージのヘッダと末尾にＱＳＩＧ固有の付加情報を付与して送信する。
【００３６】
ＩＰ−ＱＳＩＧ網１側からのメッセージ（ＣＡＬＬ  ＰＲＯＣ，ＡＬＥＲＴ）受信時に、ＩＰ−ＱＳＩＧ通信部１４からＱ．９３１コントローラ１５に対してメッセージ受信のイベントが通知される。
【００３７】
一方、主装置ＢＴ２では、ボタン電話機Ｔ２１に対し着信信号を送信する。この着信信号を受信したボタン電話機Ｔ２１では、鳴音が発生されるかまたは着信表示が行われ、これによりユーザに対し着信の発生が報知される。そして、この着信報知に対しユーザが応答操作を行なうと、ボタン電話機Ｔ２１は応答信号を主装置ＢＴ２へ送信し、この応答信号を受信した主装置ＢＴ２はＩＰ−ＱＳＩＧ網１に対し応答メッセージ（ＣＯＮＮ）にＴＰＫＴヘッダを付加して送信する。以後、ＩＰ−ＱＳＩＧ網１から主装置ＢＴ１に応答メッセージ（ＣＯＮＮ）が送られる。かくして、発信元のボタン電話機Ｔ１１と着信先のボタン電話機Ｔ２１との間には通信リンクが形成され、以後通話が可能となる。
【００３８】
また、ボタン電話機Ｔ１１にて終話操作がなされた場合に、主装置ＢＴ１からＩＰ−ＱＳＩＧ網１へ切断要求メッセージ（ＤＩＳＣ）が送出され、着信先のボタン電話機Ｔ２１にて切断要求メッセージが受信されると応答メッセージ（ＲＥＬ）が返送されて、以後着信先との間の通信リンクが切断される。
【００３９】
（ＳＩＰ網への発信）
主装置ＢＴ１に収容されたボタン電話機Ｔ１１にてＳＩＰ網３ａへの発信操作が行われたとする。そうすると、主装置ＢＴ１は、呼制御部１６においてボタン電話機Ｔ１１から入力されたダイヤル情報から、発信時に捕捉するトランク種別を確定してＱ．９３１コントローラ１５に通知する。
【００４０】
Ｑ．９３１コントローラ１５は、呼制御部１６から通知されたトランク種別を元に、着信先がＳＩＰ網３ａであることを判定し、データベース１７からプロトコル固有の拡張情報を取得する。例えばトランク種別がＳＩＰの場合は相手先ＳＩＰ  ＵＲＩやプロキシサーバのＩＰアドレスやポート番号が該当する。
【００４１】
Ｑ．９３１コントローラ１５は、発信時には常に送信するＳＥＴＵＰメッセージを生成し、データベース１７から取得したプロトコル固有の拡張情報と共に、図６に示す如く、ＳＩＰ通信部１２にメッセージを送信する。例えば、ＳＩＰの場合はＳＥＴＵＰメッセージ＋相手先ＳＩＰ  ＵＲＩ、プロキシサーバ情報などがそれぞれ送信される。
【００４２】
ＳＥＴＵＰメッセージ及びプロトコル固有の拡張情報を受信した着信側は、接続された回線に対して上記メッセージに必要な拡張情報を付与した形で回線にメッセージを送信する。例えばＳＩＰの場合はＳＩＰ通信部１２がＳＥＴＵＰメッセージをＲＦＣ３２６１に準拠したＳＩＰ用のメッセージに変換してそれぞれ送信する。
【００４３】
ＳＩＰ網３ａ側からのメッセージ（１００  Ｔｒｙｉｎｇ，１８０  Ｒｉｎｇｉｎｇ）受信時に、ＳＩＰ通信部１２はＩＳＤＮ用のメッセージに変換してＱ．９３１コントローラ１５に対してメッセージ受信のイベントを通知する。
【００４４】
一方、通信相手先で着信報知に対し応答がなされると、ＳＩＰ網３ａから主装置ＢＴ１に応答メッセージ（２００  ＯＫ）が送られる。かくして、発信元のボタン電話機Ｔ１１と着信先の端末との間には通信リンクが形成され、以後通話が可能となる。
【００４５】
また、ボタン電話機Ｔ１１にて終話操作がなされた場合に、主装置ＢＴ１からＳＩＰ網３ａへ切断要求メッセージ（ＢＹＥ）が送出され、着信先にて切断要求メッセージが受信されると応答メッセージ（２００  ＯＫ）が返送されて、以後着信先との間の通信リンクが切断される。
【００４６】
以上のように上記第１の実施形態では、各主装置ＢＴ１〜ＢＴｎにＳＩＰ通信部１２、ＩＳＤＮ通信部１３、ＩＰ−ＱＳＩＧ通信部１４を備えると共に、ＳＩＰ網３ａ，３ｂ、ＩＳＤＮ網２、ＩＰ−ＱＳＩＧ網１の中で最小の伝送容量となるＩＳＤＮ網２に対応するＱ．９３１コントローラ１５のみを備えてこのＱ．９３１コントローラ１５を各ＳＩＰ通信部１２、ＩＳＤＮ通信部１３、ＩＰ−ＱＳＩＧ通信部１４で共用するようにし、ＩＳＤＮ呼制御で必要なＱ．９３１コントローラ１５に対して、ＩＰプロトコル固有の識別情報を通知することで、Ｑ．９３１コントローラ１５単体でプロトコル差分を吸収するようにしている。
【００４７】
従って、各主装置ＢＴ１〜ＢＴｎにＳＩＰ通信部１２及びＩＰ−ＱＳＩＧ通信部１４それぞれに対応する専用のコントローラを設置する必要がなく、Ｑ．９３１コントローラ１５がＳＩＰ通信部１２及びＩＰ−ＱＳＩＧ通信部１４によって共用されるので、比較的小型でかつ安価なシステムを提供することができる。また、ＩＳＤＮ網２で提供していた既存サービスを異なるプロトコルに対しても容易に提供することができる。
【００４８】
（第２の実施形態）  
図７は、この発明の第２の実施形態としてＱｏＳ情報を定期的に通信する主装置ＢＴ１と主装置ＢＴ２との間の通信動作を説明するために示すシーケンス図である。なお、図７において、上記図３と同一部分には同一符号を付して詳細な説明を省略する。
【００４９】
いま例えば、図７に示すように主装置ＢＴ１に収容されたボタン電話機Ｔ１１とＳＩＰ網３ａ上の外部端末ＴＴ１との間で通話が行われているものとする。
【００５０】
この状態で、ＳＩＰ通信部１２において呼が解放された時点で該当呼のＱｏＳ(Quality of Service)情報をデータベース１７に随時格納し、Ｑ．９３１コントローラ１５に対して切断系メッセージを送信する。なお、ＱｏＳ情報としてはジッタ、ディレー、パケットロス、ＲＴＰ（Real-time Transport Protocol）送受信パケット数などが格納される。
【００５１】
ＳＩＰ通信部１２から切断系メッセージを受信したＱ．９３１コントローラ１５は、データベース１７からＱｏＳ情報を取得し、同情報をＵｓｅｒ−Ｕｓｅｒ情報要素に設定した上でＩＮＦＯメッセージを生成してＩＰ−ＱＳＩＧ通信部１４に送信する。
【００５２】
Ｑ．９３１コントローラ１５からＩＮＦＯメッセージを受信したＩＰ−ＱＳＩＧ通信部１４は、ＩＰ−ＱＳＩＧ網１を介して同メッセージを同一ネットワーキングシステムに属する全主装置ＢＴ２〜ＢＴｎに対して送信する（なお、図７は２ノードによるネットワーキングシステムの例）。
【００５３】
主装置ＢＴ２側のＩＰ−ＱＳＩＧ通信部１４は、ＩＮＦＯメッセージを受信すると、Ｑ．９３１コントローラ１５に同メッセージのデコードを要求する。
【００５４】
主装置ＢＴ２側のＩＰ−ＱＳＩＧ通信部１４からＩＮＦＯメッセージのデコード要求を受信したＱ．９３１コントローラ１５は、同メッセージのＵｓｅｒ−Ｕｓｅｒ情報要素に設定された主装置ＢＴ１からのＱｏＳ情報を自ノード内のデータベース１７に格納する。
【００５５】
同様に、主装置ＢＴ２側に収容されたＩＰトランク通話に関するＱｏＳ情報も、呼が解放された時点でＩＰ−ＱＳＩＧ通信部１４を介して各ノードに対して送信され、受信側ノード内のデータベース１７に格納される。
【００５６】
以上のように上記第２の実施形態によれば、各主装置ＢＴ１〜ＢＴｎ間で、ＩＰトランク通話に関するＱｏＳ情報をＩＰ−ＱＳＩＧ網１を介して定期的に通信することにより、同一ネットワーキングシステム内の全主装置ＢＴ１〜ＢＴｎのＩＰトランク通話に関するＱｏＳ情報を、各主装置ＢＴ１〜ＢＴｎで一括管理することができる。
【００５７】
（第３の実施形態）  
図８は、この発明の第３の実施形態としてＱｏＳ情報に基づいて発信ルートを選択する主装置ＢＴ１と主装置ＢＴ２との間の通信動作を説明するために示すシーケンス図である。なお、図８において、上記図３と同一部分には同一符号を付して詳細な説明を省略する。
【００５８】
主装置ＢＴ１に収容されたボタン電話機Ｔ１１からＬＣＲ(Low Cost Rout)発信した際に、呼制御部１６はボタン電話機Ｔ１１から入力されたダイヤル情報を元に、データベース１７に予め設定された発信ルート選択テーブルデータから、優先度順に捕捉可能なトランク番号を全て取得する。また、捕捉可能なトランクにＩＰトランク（例えば、ＳＩＰ網３ａ）が存在した場合は、上記第２の実施形態で呼毎に設定された最新のＱｏＳ情報も同時に取得し、これらデータベース１７から取得した全情報をＱ．９３１コントローラ１５に通知する。
【００５９】
Ｑ．９３１コントローラ１５は、呼制御部１６から通知された発信ルート情報と、ＩＰトランクに関するＱｏＳ情報を元に、最適な発信ルートを選択する。例えば、通信コスト削減のため、通常はＩＰトランクを発信ルートの最上位の優先度とし、同トランクにおける障害発生時の場合や全音声チャネル塞がりの場合などでＩＳＤＮ網２に迂回するケースが想定される。しかし、ＩＰトランクの場合、ネットワークの輻輳等により音声品質が著しく低下する場合もあり、機能設定データだけでなく最新のＱｏＳ情報を発信ルート選択時に使用して、他ノード経由のＩＰトランクを使用したり、無条件に自ノード内のＩＳＤＮ通信部１３を使用して発信することになる。
【００６０】
以上のように上記第３の実施形態では、各主装置ＢＴ１〜ＢＴｎにおいて、ＬＣＲ発信時に予め設定した優先度に従い発信ルートを選択するだけでなく、通常優先度の高いルートとして設定されるケースが多いＩＰトランクに関しては、通話生成時に計測したＱｏＳ情報も発信ルート選択時に参照して最終的に発信ルートを選択することができる。
【００６１】
従って、常に短距離で通信コストが安い通信ルートが選択されることが多かった従来の方式に比べ、通信コストだけでなく音声品質も考慮した上でＬＣＲ発信時のルート選択を行うことが可能になる。
【００６２】
（その他の実施形態）  
この発明は、上記各実施形態に限定されるものではない。例えば上記第３の実施形態では、ＱｏＳ情報を利用して発信ルートを選択する例について説明したが、通信されるＱｏＳ情報をアラームとして外部に報知するものであってもよい。
【００６３】
また、上記各実施形態では、ＳＩＰ網、ＩＳＤＮ網、ＩＰ−ＱＳＩＧ網を例として説明したが、ＳＩＰ網、ＩＳＤＮ網、ＩＰ−ＱＳＩＧ網以外の新たな通信プロトコルを要求する通信回線を主装置に接続するようにしてもよい。この場合、最小の伝送容量に対応する通信プロトコルのコントローラが主装置に設けられることになる。
【００６４】
また、上記第２及び第３の実施形態では、ＱｏＳ情報の通信制御と、ＱｏＳ情報に基づく発信ルートの選択制御とをＱ．９３１コントローラが実行する例について説明したが、呼制御部等が実行するように構成してもよい。
【００６５】
その他、電話システムの種類、主装置の機能構成、主装置に収容される電話端末の種類、通信プロトコルの種類、ＱｏＳ情報の通信制御、発信ルートの選択制御の各々の手順とその内容等についても、この発明の要旨を逸脱しない範囲で種々変形して実施できる。
【図面の簡単な説明】
【００６６】
【図１】この発明に係わる電話システムの第１の実施形態を示す概略構成図。
【図２】上記図１に示した主装置の機能ブロック図。
【図３】同第１の実施形態において、ボタン電話機による発信操作に応じたＩＰ−ＱＳＩＧ網、ＩＳＤＮ網及びＳＩＰ網との間の通信動作を示すシーケンス図。
【図４】同第１の実施形態において、ＩＳＤＮ網への発信を行う際のＱ．９３１コントローラとＩＳＤＮ通信部とＩＳＤＮ網との間の通信動作を示すシーケンス図。
【図５】同第１の実施形態において、ＩＰ−ＱＳＩＧ網への発信を行う際のＱ．９３１コントローラとＩＰ−ＱＳＩＧ通信部とＩＰ−ＱＳＩＧ網との間の通信動作を示すシーケンス図。
【図６】同第１の実施形態において、ＳＩＰ網への発信を行う際のＱ．９３１コントローラとＳＩＰ通信部とＳＩＰ網との間の通信動作を示すシーケンス図。
【図７】この発明の第２の実施形態としてＱｏＳ情報を定期的に通信する主装置間の通信動作を説明するために示すシーケンス図。
【図８】この発明の第３の実施形態としてＱｏＳ情報に基づいて発信ルートを選択する主装置間の通信動作を説明するために示すシーケンス図。
【符号の説明】
【００６７】
１…ＩＰ−ＱＳＩＧ網、２…ＩＳＤＮ網、３ａ，３ｂ…ＳＩＰ網、１１…ボタン電話制御部、１２…ＳＩＰ通信部、１３…ＩＳＤＮ通信部、１４…ＩＰ−ＱＳＩＧ通信部、１５…Ｑ．９３１コントローラ、１６…呼制御部、１７…データベース、１８…制御バス、ＢＴ１〜ＢＴｎ…主装置、Ｔ１１〜Ｔ１ｉ，Ｔ２１〜Ｔ２ｍ，Ｔ３１〜Ｔ３ｐ，Ｔｎ１〜Ｔｎｋ…ボタン電話機。
【図１】
2008252234.tif 000003
【図２】
2008252234.tif 000004
【図３】
2008252234.tif 000005
【図４】
2008252234.tif 000006
【図５】
2008252234.tif 000007
【図６】
2008252234.tif 000008
【図７】
2008252234.tif 000009
【図８】
2008252234.tif 000010